(57)【特許請求の範囲】
【請求項１】
送信側装置から送信されるシリアル伝送信号および信号伝送電源とが４芯ケーブルにより一括して接続される信号伝送用の４ピンコネクタと、負荷装置に供給すべき出力電源が接続される出力電源用の４ピンコネクタと、受信したシリアル伝送信号をパラレル信号に変換して出力する通信制御回路と、通信制御回路から出力された信号に基づいて信号伝送電源に対して絶縁した状態で出力電源を負荷装置に供給する出力回路と、を備えた省配線ターミナル装置において、
信号伝送用の４ピンコネクタの空きピンおよび信号伝送電源接地線用のピンを、出力電源用の４ピンコネクタの第１および第２の空きピンにそれぞれ接続し、
信号伝送用の電源系統と出力電源用の電源系統とを絶縁する必要がある状況では、４本の芯線を信号伝送電源送信線、信号伝送電源接地線、信号送信線及び空き線とした信号伝送用の４芯ケーブルが前記信号伝送用の４ピンコネクタに接続され、２本の芯線を出力電源送信線及び出力電源接地線とした出力電源用の２芯ケーブルが前記出力電源用の４ピンコネクタに接続され、
信号伝送用の電源系統と出力電源用の電源系統とを絶縁する必要がない状況では、４本の芯線を信号伝送電源送信線、信号伝送電源接地線、信号送信線及び出力電源送信線とした信号伝送用の４芯ケーブルが前記信号伝送用の４ピンコネクタに接続され、出力電源送信線用のピンと前記第１の空きピンとを接続するとともに出力電源接地線用のピンと前記第２の空きピンとを接続するジャンパコネクタが前記出力電源用の４ピンコネクタに接続されることを特徴とする省配線ターミナル装置。
【発明の詳細な説明】
【０００１】
【産業上の利用分野】
この発明は、送信側装置からシリアルで送信された伝送信号を変換したパラレルの出力信号に基づいて出力回路から負荷装置に出力電源を供給するターミナル装置であって、信号伝送用および出力電源用の４ピンコネクタを備えた省配線ターミナル装置に関する。
【０００２】
【従来の技術】
従来の省配線ターミナル装置として、図３に示すように、信号伝送用の４ピンコネクタ４１および出力電源用の４ピンコネクタ４２を備えたものがある。信号伝送用の４ピンコネクタ４１には、４芯ケーブル５３に接続されたコネクタ５１が装着される。出力電源用の４ピンコネクタ４２には、電源ライン５４に接続されたコネクタ５２が装着される。信号伝送用の４芯ケーブル５３は、４本の芯線のうち３本を電源送信線（信号伝送電源送信線）、接地線（信号伝送電源接地線）および信号送信線とし、１本を空き線としている。また、電源ライン５４は、２芯ケーブルであり、２本の芯線をそれぞれ出力電源用の電源送信線（出力電源送信線）および接地線（出力電源接地線）としている。省配線ターミナル装置は、信号伝送用の４ピンコネクタ４１を介して電源の供給を受ける通信回路４３においてシリアルの伝送信号を受信し、これをパラレルの出力信号に変換して出力回路４４に供給する。
【０００３】
信号伝送用の４ピンコネクタ４１および出力電源用の４ピンコネクタ４２を備えているのは、出力回路４４に接続される負荷装置４５を駆動する電源系統を、信号伝送用の電源系統から絶縁する必要があることを考慮したものである。２芯ケーブルが接続される出力電源用のコネクタとして４ピンコネクタを用いているのは、信号伝送用の４ピンコネクタ４１との部品の共通化により部品管理の容易化およびコストダウンを図るためである。電源送信線、接地線および信号送信線の３本の芯線を用いる信号伝送用のケーブルに４芯ケーブル５３を用いているのは、４芯ケーブルが規格品として既製されており、入手が容易だからである。
【０００４】
【発明が解決しようとする課題】
しかしながら、図３に示すように構成された従来の省配線ターミナル装置は、一般的に内部配線の変更が容易でなく、信号伝送用の電源系統と出力電源用の電源系統とを絶縁する必要がない状況で使用する場合でも、省配線ターミナル装置に供給する電源として２系統の電源を設けなければならない問題があった。また、信号伝送用の電源系統と出力電源用の電源系統とを１系統にしたとしても、省配線ターミナル装置に接続する前に分岐配線してそれぞれのコネクタに接続しなければならず、接続作業が煩雑化する問題があった。このため、同一の省配線ターミナル装置を、信号伝送用の電源系統と出力電源用の電源系統とを絶縁する必要がある状況と、信号伝送用の電源系統と出力電源用の電源系統とを絶縁する必要がない状況と、で共用することができない欠点があった。
【０００５】
この発明の目的は、信号伝送用の電源系統と出力電源用の電源系統とを絶縁する必要がある状況と、信号伝送用の電源系統と出力電源用の電源系統とを絶縁する必要がない状況と、で共用することができる省配線ターミナル装置を提供することにある。
【０００６】
【課題を解決するための手段】
この発明は、送信側装置から送信されるシリアル伝送信号および信号伝送電源とが４芯ケーブルにより一括して接続される信号伝送用の４ピンコネクタと、負荷装置に供給すべき出力電源が接続される出力電源用の４ピンコネクタと、受信したシリアル伝送信号をパラレル信号に変換して出力する通信制御回路と、通信制御回路から出力された信号に基づいて信号伝送電源に対して絶縁した状態で出力電源を負荷装置に供給する出力回路と、を備えた省配線ターミナル装置において、
信号伝送用の４ピンコネクタの空きピンおよび信号伝送電源接地線用のピンを、出力電源用の４ピンコネクタの第１および第２の空きピンにそれぞれ接続し、
信号伝送用の電源系統と出力電源用の電源系統とを絶縁する必要がある状況では、４本の芯線を信号伝送電源送信線、信号伝送電源接地線、信号送信線及び空き線とした信号伝送用の４芯ケーブルが前記信号伝送用の４ピンコネクタに接続され、２本の芯線を出力電源送信線及び出力電源接地線とした出力電源用の２芯ケーブルが前記出力電源用の４ピンコネクタに接続され、
信号伝送用の電源系統と出力電源用の電源系統とを絶縁する必要がない状況では、４本の芯線を信号伝送電源送信線、信号伝送電源接地線、信号送信線及び出力電源送信線とした信号伝送用の４芯ケーブルが前記信号伝送用の４ピンコネクタに接続され、出力電源送信線用のピンと前記第１の空きピンとを接続するとともに出力電源接地線用のピンと前記第２の空きピンとを接続するジャンパコネクタが前記出力電源用の４ピンコネクタに接続されることを特徴とする。
【０００７】
【作用】
この発明においては、信号伝送用の４ピンコネクタの空きピンが出力電源用の４ピンコネクタの第１の空きピンに接続され信号伝送電源接地線用のピンが第２の空きピンに接続される。したがって、信号伝送用の電源系統と出力電源用の電源系統とを絶縁する必要がある状況で使用する場合に、信号伝送用の４ピンコネクタに信号伝送用の４芯ケーブルを接続するとともに、出力電源用の４ピンコネクタに出力回路を介して負荷装置に供給する出力電源を接続すると、２つの４ピンコネクタのそれぞれを介して２系統の電源系統から信号伝送電源および出力電源が供給される。一方、信号伝送用の電源系統と出力電源用の電源系統とを絶縁する必要がない状況で使用する場合には、信号伝送用の４芯ケーブルの空き芯線を出力電源送信線として用いるとともに、出力電源用の４ピンコネクタに例えばジャンパコネクタを装着して出力電源送信線用のピンと第１の空きピンとを接続し、出力電源接地線用のピンと第２の空きピンとを接続すると、出力電源は信号伝送用の４ピンコネクタの空きピン、出力電源用の４ピンコネクタの第１の空きピンおよびジャンパコネクタを介して出力電源送信線用のピンに接続され、出力電源接地線用のピンはジャンパコネクタ、出力電源用の４ピンコネクタの第２の空きピンおよび信号伝送用の４ピンコネクタの信号伝送電源接地線用のピンを介して４芯ケーブルの信号伝送電源接地線に接続され、信号伝送用の４ピンコネクタを介して１系統の電源系統から信号伝送用および出力電源用の電源が供給される。この場合に、２系統の電源系統を用いる場合と１系統の電源系統を用いる場合とで省配線ターミナル装置の内部の配線を変えたり、分岐配線などの煩雑な配線処理を行う必要がない。
【０００８】
【実施例】
図１および図２は、この発明の省配線ターミナル装置の構成を示す図であり、図１は、信号伝送用の電源系統と出力電源用の電源系統とを絶縁する必要がある状況での使用状態を示し、図２は、信号伝送用の電源系統と出力電源用の電源系統とを絶縁する必要がない状況での使用状態を示している。図１および図２において、省配線ターミナル装置は、４ピンコネクタ１，２、通信制御回路３および出力回路４を備えている。４ピンコネクタ１は、信号伝送用のコネクタであり、ピンＰ０１およびＰ０４が通信制御回路３の入力端子に接続されている。４ピンコネクタ２は、出力電源用のコネクタであり、出力回路４を介して外部の負荷装置５に接続されている。通信制御回路３は、４ピンコネクタ１を介してシリアル入力された伝送信号をパラレルの出力信号に変換して出力回路４に供給する。出力回路４は、通信制御装置３の各出力端子に備えられており、フォトカプラにより構成されている。出力回路４は、通信制御回路３から供給された出力信号により、４ピンコネクタ２を介して外部の負荷装置５に供給される電源ラインを開閉して負荷装置５をオン／オフする。
【０００９】
また、４ピンコネクタ１のピンＰ０２は４ピンコネクタ２のピンＰ１２と、４ピンコネクタ１のピンＰ０３は４ピンコネクタ２のピンＰ１４と、それぞれ接続されている。４ピンコネクタ１のピンＰ０３と４ピンコネクタ２のピンＰ１４との接続線の中間に通信制御回路３および出力回路４の接地端子が接続されている。
【００１０】
信号伝送用の電源系統と出力電源用の電源系統とを絶縁する必要がある状況では、図１に示すように、４ピンコネクタ１には、信号伝送用の４芯ケーブル８の先端に固着されたコネクタ６が装着される。４ピンコネクタ２には、出力電源用のケーブル９の先端に固着されたコネクタ７が装着される。このように接続することにより、通信制御回路３には、４ピンコネクタ１およびコネクタ６のピンＰ０１およびＰ２１を介して信号伝送電源が入力され、ピンＰ０４およびＰ２４を介して伝送信号が入力される。また、通信制御回路３の各出力端子に接続された出力回路４は、４ピンコネクタ１のピンＰ０３およびコネクタ６のピンＰ２３を介して信号伝送電源接地線に接続される。負荷装置５は、４ピンコネクタ２のピンＰ１１，Ｐ１３およびコネクタ７のピンＰ３１，Ｐ３３を介して出力回路４とともに電源ラインに直列に接続される。したがって、負荷装置５には、４芯ケーブル８から供給される信号伝送用の電源系統に対して絶縁された状態で２芯ケーブル９から電源が供給される。
【００１１】
信号伝送用の電源系統と出力電源用の電源系統とを絶縁する必要がない状況では、図２に示すように、４ピンコネクタ１には、信号伝送用の４芯ケーブル８の先端に固着されたコネクタ６が装着され、４ピンコネクタ２には、ジャンパコネクタ１０が装着される。これとともに、４芯ケーブル８の空き芯８ａを負荷装置用の出力電源送信線として用いる。ジャンパコネクタ１０は、ピンＰ３１とピンＰ３２との間を短絡し、ピンＰ３３とピンＰ３４との間を短絡している。このように接続することにより、通信制御回路３には、４ピンコネクタ１のピンＰ０１およびコネクタ６のピンＰ２１を介して信号伝送電源が入力され、ピンＰ０４およびＰ２４を介して伝送信号が入力される。また、通信制御回路３の各出力端子に接続された出力回路４は、４ピンコネクタ１のピンＰ０３およびコネクタ６のピンＰ２３を介して信号伝送電源接地線に接続される。
【００１２】
一方、省配線ターミナル装置において負荷装置５に対する電源ラインは、コネクタ６のピンＰ２２→４ピンコネクタ１のピンＰ０２→４ピンコネクタ２のピンＰ１２→ジャンパコネクタ１０のピンＰ３２→ジャンパコネクタ１０のピンＰ３１→４ピンコネクタ２のピンＰ１１→負荷装置５→出力回路４→４ピンコネクタ２のピンＰ１３→ジャンパコネクタ１０のピンＰ３３→ジャンパコネクタ１０のピンＰ３４→４ピンコネクタ２のピンＰ１４→４ピンコネクタ１のピンＰ０３→コネクタ６のピンＰ２３の経路で構成される。したがって、負荷装置５には、負荷装置用の出力電源が信号伝送電源とともに４芯ケーブル８から供給され、負荷装置の出力電源接地線は、通信伝送電源接地線と共用される。
【００１３】
このようにして、省配線ターミナル装置を信号伝送用の電源系統と出力電源用の電源系統とを絶縁する必要がある状況で使用する場合と、信号伝送用の電源系統と出力電源用の電源系統とを絶縁する必要がない状況で使用する場合とで、省配線ターミナル装置内の構成を変える必要が無く、単一の構成で両方の使用状況に対応することができる。
【００１４】
【発明の効果】
この発明によれば、信号伝送用の４ピンコネクタの空きピンを出力電源用の４ピンコネクタの第１の空きピンに接続し、伝送用電源の接地線用のピンを第２の空きピンに接続したため、信号伝送用の電源系統と出力電源用の電源系統とを絶縁する必要がある状況で使用する場合には、信号伝送用の４ピンコネクタに信号伝送用の４芯ケーブルを接続するとともに、出力電源用の４ピンコネクタに出力回路に供給する電源を接続し、信号伝送用の電源系統と出力電源用の電源系統とを絶縁する必要がない状況で使用する場合には、信号伝送用の４芯ケーブルの空き芯線を出力電源送信線として用いるとともに、出力電源用の４ピンコネクタに例えばジャンパコネクタを装着して出力電源送信線用のピンと第１の空きピンとを接続し、出力電源接地線用のピンと第２の空きピンとを接続することにより、２系統の電源系統を用いる場合と１系統の電源系統を用いる場合との両方について同一の構成の省配線ターミナル装置を用いることができ、分岐配線などの煩雑な配線処理が不要になって配線作業を簡略化できる利点がある。
【図面の簡単な説明】
【図１】信号伝送用の電源系統と出力電源用の電源系統とを絶縁する必要がある状況で使用されるこの発明の省配線ターミナル装置の構成を示す図である。
【図２】信号伝送用の電源系統と出力電源用の電源系統とを絶縁する必要がない状況で使用されるこの発明の省配線ターミナル装置の構成を示す図である。
【図３】従来の省配線ターミナル装置の構成を示す図である。
【符号の説明】
１，２−４ピンコネクタ
３−通信制御回路
４−出力回路
５−負荷装置
６，７−コネクタ
８−４芯ケーブル
９−電源ケーブル
１０−ジャンパコネクタ
【図１】
0003618376.tif 000002
【図２】
0003618376.tif 000003
【図３】
0003618376.tif 000004